(57)【要約】【課題】従来のスタンドでは、プロジェクタなどの投影装置に必要なチルトとパーンを組み合わせた３次元的な角度設定ができない。また、スタンドと機器との搭載時の嵌合面も放熱面としての活用を図りたい。【解決手段】ガイド溝の幅と長さを角度設定用の軸径よりも大きく取る事で、３次元的な角度設定が可能となり、また軸に嵌着されるシューの外形形状を変えることで角度制限を自由に設定することができる。また、スタンドに通気孔を設けることで、テーブル上に載置される機器の放熱や冷却性能を向上することが可能となる。【選択図】　図１
2004102152.tif 000002
【特許請求の範囲】
【請求項１】
凹球面状をしたスライド面を上面に有するベースと、前記凹球面と同一曲率の凸球面状をしたスライド面を下面に有するテーブルとを備え、前記ベースには突出した軸が設けられ、前記テーブルには前記軸の径寸法よりも充分に大きい軸逃げ孔が形成されたスタンドにおいて、ベースの凹球面部に前記凹球面と同一曲率の天面を有しベースの凹球面より突出するリングスペーサを設けたことを特徴とするスタンド。
【請求項２】
請求項１に記載のスタンドにおいて、前記軸の両端部には前記軸の脱落防止のためのストッパーが設けられ、前記軸逃げ孔よりも大きな外形を有し且つ前記テーブルの内側凹底面と同一曲率を有するブレーキシューと、前記テーブルと、前記ベースとを、少なくとも前記ベース上に設けられた前記リングスペーサ天面と前記テーブルを摺動自在な押圧で前記ストッパーにて狭持することを特徴とするスタンド。
【請求項３】
請求項２に記載のスタンドにおいて、前記ブレーキシューは前記軸に対して軸回りに回転不能に嵌着され、前記テーブルの内側には前記ブレーキシューの外側面に対向し、前記ブレーキシューの外側面と所定の間隔を持ってリブが設けられ、前記テーブルのチルト操作やパーン操作時に前記ブレーキシューの外側面を前記リブに当てることでチルト角度とパーン角度を制限することを特徴とするスタンド。
【請求項４】
請求項３に記載のスタンドにおいて、前記ベースに設けられるストッパーは前記軸に設けられた貫通孔に回転自在に貫通する金属棒であり、前記金属棒の前記貫通孔に位置する部分は、直径が小さく且つ偏心して形成され、前記金属棒の前記貫通孔側と反対の端部にはツマミ部分が前記ベース端部上面から突出するレバーが固定されており、前記ベース端部上面から突出した前記ツマミを右または左に倒すことで前記金属棒が回転し、前記金属棒の偏心部の回転に追随して前記軸を上下させることで前記両端のストッパーによる狭持力を加減して、チルト操作及びまたはパーン操作のロックまたはロック解除を行うことを特徴とするスタンド。
【請求項５】
請求項１乃至４に記載のスタンドにおいて、前記テーブル天面の側辺には固定の係止ツメが設けられ、前記固定の係止ツメと対向する側辺には側面から出し入れ可能な係止ツメが設けられ、前記テーブル上に載置される機器の底面には前記テーブル天面外形と嵌合する凹部が設けられ、前記凹部には前記係止ツメに対応する係止孔が設けられ、前記機器の係止孔と前記固定の係止ツメとを嵌合したのち操作部の操作で前記機器の他の係止孔と出し入れ可能な係止ツメとを嵌合させることで、前記テーブル上に機器を載置することを特徴とするスタンド。
【請求項６】
請求項１乃至５に記載のスタンドにおいて、前記テーブルの下側面と天面には通気孔が設けられ、前記テーブル上に載置される機器の底面には前記テーブル天面に設けた通気孔の位置に対向して通気孔が設けられ、前記通気孔を経由して吸気または排気をおこなうことを特徴とするスタンド。
【請求項７】
請求項１乃至６に記載のスタンドにおいて、前記ベースには凹球面から突出する弾丸状のクリックピースがクリックピース背部からバネで付勢されて設けられ、前記テーブル凸球面には前記クリックピースと勘合する凹部を設け、前記テーブルの角度設定時に前記クリックピース頭部と前記テーブル凸球面上の凹部で仮ロックされることを特徴とするスタンド。
【発明の詳細な説明】
【０００１】
【発明の属する技術分野】
本発明は、表示装置や投影装置を載置するスタンドに係り、特に、搭載装置の回転や角度調整を可能とするスタンドに関する発明である。
【０００２】
【従来の技術】
従来技術のスタンドとして、たとえば特許文献１にチルトスタンドとして開示されている。
【０００３】
特許文献１においては、実質的に凹球面状をしたスライド支持面を上面に有するベース台と、実質的に上記凹球面と同一曲率の凸球面状をしたスライド面を下面に有する可動台とを備える一方、上記ベース台と上記可動台のいずれか一方には、所定幅をもち、かつ所定の長さ、延びるガイド溝が形成されており、上記ベース台と上記可動台のいずれか他方には、突起が形成されている。
【０００４】
上記突起は、上記ガイド溝の幅と対応した径をもつ基部と、自然状態において上記ガイド溝の幅よりも大寸であり、弾性縮径することによって上記ガイド溝を通過可能な先端部とを備えていることを特徴とし、凹球面状をスライド面とするチルトスタンドにおいて、固定部と可動部間との連結をねじ等の連結部品を必要とすることなく、きわめて容易に組み付けを行なうことができ、しかも、可動台のベース台に対する離脱防止策を万全なものとする提案である。
【０００５】
【特許文献１】
特開平２００１−１６９２１０号公報
【０００６】
【発明が解決しようとする課題】
特許文献１を含め、従来のスタンドは表示装置に特化したものであり、チルトまたはパーン機能は有すものの、プロジェクタなどの投影装置に必要なチルトとパーンを組み合わせた３次元的な角度設定ができないという課題があった。
【０００７】
また、機器の小型化により機器の放熱設計も重要な要素となり、スタンドと機器との搭載時の嵌合面も放熱面としては小型機器において無視できなくなり、スタンド自体の構造としても配慮が必要になってきている。
【０００８】
本発明は、前記課題を解決するためになされたものであり、３次元的な角度設定を可能とし、スタンドを含めた搭載機器の放熱構造や角度設定操作をより容易に可能とし、使い勝手の良いスタンドを提供することを目的とする。
【０００９】
【課題を解決するための手段】
上記目的を達成するために、本発明のスタンドにおいては、凹球面状をしたスライド面を上面に有するベースと、前記凹球面と同一曲率の凸球面状をしたスライド面を下面に有するテーブルとを備え、前記ベースには突出した軸が設けられ、前記テーブルには前記軸の径寸法よりも充分に大きい軸逃げ孔が形成されたスタンドにおいて、ベースの凹球面部に前記凹球面と同一曲率の天面を有しベースの凹球面より突出するリングスペーサを設けたことを特徴とする。
【００１０】
また、本発明のスタンドにおいては、前記記載のスタンドにおいて、前記軸の両端部には前記軸の脱落防止のためのストッパーが設けられ、前記軸逃げ孔よりも大きな外形を有し且つ前記テーブルの内側凹底面と同一曲率を有するブレーキシューと、前記テーブルと、前記ベースとを、少なくとも前記ベース上に設けられた前記リングスペーサ天面と前記テーブルを摺動自在な押圧で前記ストッパーにて狭持することを特徴とする。
【００１１】
また、本発明のスタンドにおいては、前記記載のスタンドにおいて、前記ブレーキシューは前記軸に対して軸回りに回転不能に嵌着され、前記テーブルの内側には前記ブレーキシューの外側面に対向し前記ブレーキシューの外側面と所定の間隔を持ってリブが設けられ、前記テーブルのチルト操作やパーン操作時に前記ブレーキシューの外側面を前記リブに当てることによってチルト角度とパーン角度を制限することを特徴とする。
【００１２】
また、本発明のスタンドにおいては、前記記載のスタンドにおいて、前記ベースに設けられるストッパーは前記軸に設けられた貫通孔に回転自在に貫通する金属棒であり、前記金属棒の前記貫通孔に位置する部分は、直径が小さく且つ偏心して形成され、前記金属棒の前記貫通孔側と反対の端部にはツマミ部分が前記ベース端部上面から突出するレバーが固定されており、前記ベース端部上面から突出した前記ツマミを右または左に倒すことで前記金属棒が回転し、前記金属棒の偏心部の回転に追随して前記軸を上下させることで前記両端のストッパーによる狭持力を加減して、チルト操作及びまたはパーン操作のロックまたはロック解除を行うことを特徴とする。
【００１３】
また、本発明のスタンドにおいては、前記記載のスタンドにおいて、前記テーブル天面の側辺には固定の係止ツメが設けられ、前記固定の係止ツメと対向する側辺には側面から出し入れ可能な係止ツメが設けられ、前記テーブル上に載置される機器の底面には前記テーブル天面外形と嵌合する凹部が設けられ、前記凹部には前記係止ツメに対応する係止孔が設けられ、前記機器の係止孔と前記固定の係止ツメとを嵌合したのち操作部の操作で前記機器の他の係止孔と出し入れ可能な係止ツメとを嵌合させることで、前記テーブル上に機器を載置することを特徴とする。
【００１４】
また、本発明のスタンドにおいては、前記記載のスタンドにおいて、前記テーブルの下側面と天面には通気孔が設けられ、前記テーブル上に載置される機器の底面には前記テーブル天面に設けた通気孔の位置に対向して通気孔が設けられ、前記通気孔を経由して吸気または排気をおこなうことを特徴とする。
【００１５】
さらに、本発明のスタンドにおいては、前記記載のスタンドにおいて、前記ベースには凹球面から突出する弾丸状のクリックピースがクリックピース背部からバネで付勢されて設けられ、前記テーブル凸球面には前記クリックピースと勘合する凹部を設け、前記テーブルの角度設定時に前記クリックピース頭部と前記テーブル凸球面上の凹部で仮ロックされることを特徴とする。
【００１６】
【発明の実施の形態】
以下、本発明のプロジェクタ用スタンドの実施形態に関し、図１乃至図９を用いて説明する。図１はプロジェクタ用スタンドの側断面図であり、図２は正面図であり、図３は天面図である。また、図４はベース台の側断面の一部分図である。
【００１７】
このスタンドの基本構造は図１乃至図４に示すように、底蓋８とベース台５とでなり、机上等に載置されるベースと、テーブルカバー１３とテーブル台１０とでなり、ベース台５上に取付けられるテーブルを備え、回転やチルトの際の軸やストッパーなどになる断面がＤ型カットされたステンレスシャフト３の端部近傍でそれぞれベース台５とテーブル１０が係止されている。
【００１８】
先ず、図１乃至図９により、スタンドを構成する各部品の説明をおこなう。図５は構成部品図で、（ａ）はクリックピース側面図、（ｂ）はクリックバネ上面図、（ｃ）はステンレスシャフト正面図、（ｄ）はステンレスシャフト上面図、（ｅ）はリングスペーサ上面図である。
【００１９】
図４はクリックピース６の取付け状態を示すベース台５の部分断面図であり、図１乃至図４に示すように、ベース台５は円形状で外周に向かうほど薄状となるとともに、上面中央部には凹球面状をしたテーブル台１０支持面を備えている。
【００２０】
中央にはシャフト孔５ｅが設けられ、シャフト孔５ｅはステンレスシャフト３の断面外形と同様にＤ型形状に抜かれており、シャフト孔５ｅの周辺には後述するクリックピース６の頭部が上下摺動するクリックピース用孔５ｇとチルトや回転をスムーズに行うためのリングスペーサ９を収納するＵ字溝５ｆが、クリックピース用孔５ｇを挟んでリング状に設けられ、またプロジェクタの背面側に位置するベース台５の端部には、回転やチルトで調整したテーブル角度を固定するためのロックレバー２用のロックレバー孔５ｊが設けられている。
【００２１】
また、耐荷重の強度維持の為の複数のリブ５ｂが底蓋８までの間隔に合わせた高さで設けられ、ロックシャフト１の保持用にＵ字抜きリブ５ａやロックシャフト１当てリブ５ｄが設けられ、さらに底蓋８とのビス止め用のビス孔５ｃが７個設けられている。
【００２２】
尚、ベース台５のビス孔５ｃと底蓋８のビス孔８ｂの配置は、ロックシャフト１の保持用のＵ字抜きリブ５ａやロックシャフト１当てリブ５ｄが正規位置に一義的に位置合わせされるように、例えば４個所の孔を半径方向に直線状に配し、その配列と直交する方向の円周左端部に２箇所と円周右端部に１個所の孔が配されている。
【００２３】
さらに、所定の位置で仮ロックするためのクリックピース６の頭部が上下摺動するクリックピース用孔５ｇと、クリックピース６を付勢するためのクリックバネ７用ガイド５ｉとクリックバネ７固定のためのビス孔５ｈが設けられている。
【００２４】
底蓋８にはロックシャフト１を保持するホールドリブとベース台５とのビス止め用のビス孔８ｂが７個設けられ、底蓋８裏面の机などとの設置面には、全面もしくは部分的にスベリ止めクッション８ｄが設けられている。
【００２５】
図６は構成部品図で、（ａ）はロックシャフト側面図、（ｂ）はロックシャフト偏心部断面図、（ｃ）はロックレバー斜視図である。図４と図５とともに、ベース台５へのクリックピース６取付けに関し説明する。
【００２６】
クリックピース６は先端部６ａが放物形状をなし、後端部６ｂはクリックバネ７のクリックピース用孔７ａに勘合する寸法で絞り込まれている。クリックバネ７はベース台５との位置合わせのためのＬ端部７ｃとベース台５とのビス止め固定用のビス孔７ｂとクリックピース後端部６ｂと摺動可能に勘合する楕円孔のクリックピース用孔７ａとで構成されている。
【００２７】
クリックピース先端部６ａをベース台５のクリックピース用孔５ｇに挿入した後、クリックバネＬ端部７ｃをベース台５のクリックバネ７用ガイド５ｉに当てて、位置合わせをしながらクリックバネ７のクリックピース用孔７ａとクリックピース後端部６ｂを勘合させたのち、ベース台５とクリックバネ７とをビス固定する。
【００２８】
クリックピース６の中央部はベース台５のクリックピース用孔５ｇ径よりも大きい為、クリックピース先端部６ａのみがベース台５より突出することになり、クリックピース先端部６ａは当接する対象の形状に追随しクリックバネ７の付勢力に抗して上下に摺動することになる。
【００２９】
図５を用いて、ロックシャフト１に関し説明する。偏心部１ｂはスタンドが組み立てられた時にはステンレスシャフト３のロックシャフト挿入孔３ａに位置し、ロックシャフト１外形に一部内接する径で偏心部１ｂを形成している。ロックシャフト１の偏心部１ｂ側と反対側の端部１ｄ近傍にはロックレバー２を固定するためのロックレバー取付けナット部１ａを有し、ロックレバービス孔２ｃにてロックレバー２がロックシャフト１にビス固定されることで、ロックレバー２の操作部２ａの回転により偏心部１ｂを含めたロックシャフト１が回転することになる。
【００３０】
図７はテーブル台の上面図である。内面中央部が凹球面状をなすテーブル台１０の底部には長方形のシャフト逃げ孔１０ａがあり、シャフト逃げ孔１０ａの両側には所定の間隔を有してガイドリブ１０ｆが平行して設けられている。また、テーブルカバー１３をビス止めするビス止めボス１０ｅが４箇所に設けられ、凹球面上部からテーブル台１０側部に渡りプロジェクタ搭載強度を保持する可能な限りの網目状の吸気孔１０ｂがリング状に設けられている。
【００３１】
１０ｃはプロジェクタとの係止部で、１１は液晶プロジェクタを固定するためのロックスライダーで、１１ａはスライド操作部で反対側にはバネ掛け突起１１ｄと、両側にはスライドロック部１１ｂを有し、またバネ掛け突起１１ｄの両側には平行するガイドバー１１ｃを有している。
【００３２】
テーブル台１０へのロックスライダー１１の取付けは、ロックスライダー１１のスライド操作部１１ａとスライドロック部１１ｂをテーブル台１０のロックスライダー溝１０ｇに当て、バネ掛け突起１１ｄにバネ１２を被せ込んだ状態でテーブル台１０のバネとめリブ１０ｄ溝に押さえ込むことで、ガイドバー１１ｃもテーブル台１０のガイドリブ１０ｆの内側に嵌め込まれ、テーブル台１０へのロックスライダー１１の取付けが完了する。
【００３３】
図８はテーブルカバーの上面図である。１３ａは網目状の吸気孔で、プロジェクタ装着時にプロジェクタ底面の吸気孔の位置に一致し設けられている。１３ｂはプロジェクタ底面部に設けられた規定の取付け部に対する逃げ窪みであり、１３ｃはテーブル台１０との固定用のビス孔、１３ｄはプロジェクタ底面部との密着性を高めるための凸部である。
【００３４】
図９は構成部品図で、（ａ）はブレーキシュー上面図、（ｂ）はワッシャー上面図、（ｃ）はＥリング上面図、（ｄ）はスペーサ上面図である。
【００３５】
ブレーキシュー４は底面がテーブル台１０の凹球面とほぼ同一の曲率の凹球面状をなしているため、ロックレバー２をロック解除位置にしてテーブル台１０の角度調整をする場合には、テーブル台１０はブレーキシュー４とリングスペーサの間でスムーズな動きが可能となり、ロックレバー２をロック位置にしてテーブル台１０角度をロックする場合は、ブレーキシュー４とテーブル台１０の密着度が高まり確実なロックができることになる。
【００３６】
また、ブレーキシュー４の中央にはステンレスシャフト３と回転不能に嵌合するＤ型孔４ａを有するため、テーブル台１０の角度調整時に８角形の外形部４ｂ、４ｃ、４ｄが所定の角度でテーブル台１０のガイドリブ１０ｆに当たり、角度調整範囲が制限される。これは、ブレーキシュー４の外形形状により角度調整範囲を適宜決定できるということである。
【００３７】
図１乃至図９と共にスタンドの組みたて手順に沿って説明する。先ずベース台５のクリックピース用孔５ｇにクリックピース６を挿入しクリックバネ７を当て、クリックバネ７をビス止め固定したベース台５を準備しておく。
ロックレバー２をビス止め固定してあるロックシャフト１をステンレスシャフト３のロックシャフト孔３ａに挿入する。この時ステンレスシャフト３の向きはシャフト孔５ｅのＤ型形状に勘合する向きとし、ステンレスシャフト３をロックシャフト１の偏心部１ｂに位置させる。
【００３８】
また、ロックレバー２の操作部２ａの先端への方向とロックシャフト１中心軸から偏心軸への方向が一致するようにロックレバー２がロックシャフト１にビス止め固定されているものとする。
【００３９】
次ぎにベース台５を裏返し、ステンレスシャフト３にスペーサ１７を通しシャフト孔５ｅに挿入し、ロックシャフト１の一端１ｄをロックシャフト当て５ｄに当てながらロックレバー２をロックレバー孔５ｇに挿入する。
次ぎに裏蓋８を被せ、７箇所のビス孔８ｂでビス止め固定することでベース部が完成する。
【００４０】
次に、ベース台５のＵ字溝５ｆにリングスペーサ９を嵌め込み、テーブル台１０のシャフト逃げ孔１０ａ内にステンレスシャフト３が位置するようにベース台５の曲面に合わせてテーブル台１０をベース台５の中央に載せる。
リングスペーサ９はＵ字溝５ｆに嵌め込まれた状態で表面の曲率がテーブル台１０の曲率と略一致する形状を有し、且つリングスペーサ９表面がベース台５表面よりも僅かに突出するように形成されており、ベース台５上のリングスペーサ９がテーブル台１０との接触部分となる。
【００４１】
次に、ブレーキシュー４の曲面側をテーブル台１０側に向けてステンレスシャフト３に挿入し、リングスペーサ９とブレーキシュー４でテーブル台１０を挟持する。次に、ブレーキシュー４から突出したステンレスシャフト３にワッシャー１５を通した後、リング溝３ｃにＥリングを勘合させる。
【００４２】
この状態でテーブル台１０はリングスペーサ９とブレーキシュー４とで挟持され、テーブル台１０はリングスペーサ９の曲面に沿って摺動することでテーブル台１０上に載置した機器の全方向へのチルトやパーンが可能となるが、ブレーキシュー４の外形部とテーブル台１０内のバネとめリブ１０ｄやガイドリブ１０ｆが当接する位置がチルトやパーンの制限角度となるため、ブレーキシュー４の外形形状とバネとめリブ１０ｄやガイドリブ１０ｆ位置は、チルトやパーン角度範囲に応じて適宜設定される。
【００４３】
又、テーブル台１０の摺動トルクは、テーブル台１０とリングスペーサ９とブレーキシュー４それぞれの材質や相互の接触面形状や面状態にても調整可能である。
【００４４】
尚、本実施形態においては、前後１０°と左右３°のチルト角度と回転角度２５°になるようにブレーキシュー４の外形形状とバネとめリブ１０ｄやガイドリブ１０ｆ位置が設定されている。
【００４５】
また、チルトやパーンの範囲内でクリックピース６と接するテーブル台１０面に、例えば前後チルト５°でクリックピース６と接するテーブル台１０部の十字状の凹部を設ける事で、クリックピース６と十字状の凹部による仮ロックが可能となる。この十字状の凹部は任意の位置に任意の数で設定することが可能である。
【００４６】
また、ロックシャフト１の回転により偏心部１ｂはステンレスシャフト３のロックシャフト孔３ａ下側内壁に当接して回転することでステンレスシャフト３が上下に移動することになり、前述のようにロックレバー２の操作部２ａの先端への方向とロックシャフト１中心軸から偏心軸への方向が一致するようにロックレバー２がロックシャフト１にビス止め固定されていることから、操作部２ａを右または左一杯に倒した時がステンレスシャフト３位置が最も低くなり、テーブル台１０がリングスペーサ９とブレーキシュー４で最も強く狭持されることになり、この状態がスタンドのロック状態となる。
【００４７】
次ぎにテーブル台１０にテーブルカバー１３を被せ４箇所のビス孔１３ｃでビス止め固定することで、スタンドが組みたてられる。
【００４８】
次ぎにスタンドに液晶プロジェクタを搭載し、チルトやパーン操作する方法に関し説明する。
【００４９】
プロジェクタの底面にはテーブルカバー１３に形成された網目状の吸気孔１３ａに対向する位置に同様の吸気孔が設けられていると共に、テーブル台１０の外形形状に相似し、僅かに大きい外形形状の凹部が形成され、凹部側面部にはスライドロック部１１ｂや係止部１０ｃと係合する開口が設けられている。
【００５０】
プロジェクタ底面をスタンドのテーブル上部に位置させ、テーブル台１０の係止部１０ｃにプロジェクタ底面凹部の一方の開口部を係合させテーブル台１０に載せる。その状態でスライド操作部１１ａを押込むことでスライドロック部１１ｂも連動して後退することでプロジェクタ底面凹部にテーブル台１０上部が勘合し、その状態でスライド操作部１１ａを戻すことでスライドロック部１１ｂとプロジェクタ底面凹部の他方の開口部とが係合され、スタンドにプロジェクタが載置される。
【００５１】
プロジェクタからの投射映像を所定のスクリーンに投射させる場合を考える。ユーザーはスタンドのロックレバー操作部２ａを上方に向けスタンドロックを解除した状態でチルト操作やパーン操作でプロジェクタの投射映像がスクリーン上で最も適切な状態になるように操作し、その状態でロックレバー操作部２ａを右または左一杯に倒しこみスタンドロックを行うことで投射角度設定が完了する。
【００５２】
また本発明のスタンドにはテーブル台１０とテーブルカバー１３にそれぞれ複数の網目状の吸気孔１０ｂ、１３ａが設けられている。プロジェクタは光源をはじめとする発熱部が多数存在し性能確保や製品の長寿命化などにおいてファンを用いる冷却が必須となっており、小型化が進むにつれ冷却対策はさらに加速されることになる。
【００５３】
スタンド上に密着させてプロジェクタ装置を搭載する場合は、安定してプロジェクタ装置を固定するためにはある程度の密着面積が必要であり、プロジェクタ装置冷却用の吸排気口の設定部が限定されてくることが懸念されるが、本発明のスタンドではテーブル台１０の複数の網目状吸気孔１０ｂからの吸冷気はテーブルカバー１３の複数の網目状吸気孔１３ａを通過しプロジェクタ装置の網目状吸気孔１３ａに対向して設けられた吸気孔から取り入れられる。
【００５４】
プロジェクタ装置には必要冷却容量に応じて他にも吸気孔が設けられるが、本発明ではスタンドを用いた場合でもプロジェクタ装置の底面からも確実に冷却路を確保することが可能である。
【００５５】
【発明の効果】
本発明によれば、軸逃げ孔の幅と長さを軸径よりも大きく取る事で、３次元的な角度設定が可能となり、またブレーキシューの外形形状を変えることで角度制限を自由に設定することができる。
【００５６】
また、テーブルとベースの接触をリングスペーサとし、同一曲率を有するブレーキシューとリングスペーサでテーブルを狭持することで、テーブルの角度調整がスムーズにおこなわれ、仮固定機能やロック機能も含め、使い勝手の良いスタンドが提供される。
【００５７】
また、ベースには底板を有し、テーブルには天蓋を有し、ベース部とテーブル部に軸を通し、軸両端部をストッパーで止める構造をとることで、組立て作業を容易におこなう事ができる。
【００５８】
また、スタンドに通気孔を設けることで、テーブル上に載置される機器の放熱や冷却性能を向上することが可能となる。
【図面の簡単な説明】
【図１】本発明のプロジェクタ用スタンドの側断面図である。
【図２】本発明のプロジェクタ用スタンドの正面図である。
【図３】本発明のプロジェクタ用スタンドの天面図である。
【図４】本発明のベース台側断面図一部分図である。
【図５】本発明のスタンド構成部品図である。
【図６】本発明のスタンド構成部品図である。
【図７】本発明のテーブル台の上面図である。
【図８】本発明のテーブルカバーの上面図である。
【図９】本発明のスタンド構成部品図である。
【符号の説明】
１　ロックシャフト
２　ロックレバー
３　ステンレスシャフト
４　ブレーキシュー
５　ベース台
６　クリックピース
７　クリックバネ
８　底蓋
９　リングスペーサ
１０　テーブル台
１１　ロックスライダ
１３　テーブルカバー
１５　ワッシャー
１６　Ｅリング
１７　スペーサ
【図１】
2004102152.tif 000003
【図２】
2004102152.tif 000004
【図３】
2004102152.tif 000005
【図４】
2004102152.tif 000006
【図５】
2004102152.tif 000007
【図６】
2004102152.tif 000008
【図７】
2004102152.tif 000009
【図８】
2004102152.tif 000010
【図９】
2004102152.tif 000011